(57)【特許請求の範囲】
【請求項１】
金属材料により形成される重り本体を有する重り手段を用意する準備工程と、
前記重り本体の表面に、耐火性を有し、且つ、酸化しにくい材料からなる隔離層を形成する積層工程と、
前記重り手段をダイに固定し、液体化された充填材料を前記ダイに注入し、前記重り手段の一部分が固化された前記充填材料により包まれ、該一部分以外の他の一部分が前記充填材料により包まれていない原型を形成する原型工程と、
前記原型を前記ダイから取り外してから、前記原型の周囲に耐火性材料をコーティングすることにより、前記重り手段と前記原型が前記耐火性材料に包まれたシェル鋳型を形成する鋳型工程と、
前記シェル鋳型から前記充填材料を除去して、前記シェル鋳型内に空洞を作り出す除去工程と、
溶融金属を前記シェル鋳型内の前記空洞にキャスティングし、前記溶融金属が凝固してから、前記シェル鋳型を取り外すことで、凝固した前記溶融金属からなるヘッド本体と前記ヘッド本体に嵌め込まれる前記重り手段とを有するゴルフクラブヘッドを製造する鋳造工程と、が実行されることを特徴とするゴルフクラブヘッドの製造方法。
【請求項２】
前記積層工程において、前記重り手段の前記隔離層はジルコニア砂層またはセラミックスにより形成されたことを特徴とする請求項１に記載のゴルフクラブヘッドの製造方法。
【請求項３】
前記準備工程において、前記重り手段の前記重り本体はタングステン合金により作成されることを特徴とする請求項１又は請求項２に記載のゴルフクラブヘッドの製造方法。
【請求項４】
前記原型工程において、前記ダイは２枚のダイ部材からなり、前記重り手段は前記２枚のダイ部材の間に挟まれるように前記ダイの中に固定されることを特徴とする請求項１〜３のいずれか一項に記載のゴルフクラブヘッドの製造方法。
【請求項５】
前記準備工程において用意された前記重り手段には、前記重り本体から突起する複数の定位柱が取り付けられており、
前記積層工程で形成された前記隔離層は、前記定位柱を被布せず、
前記原型工程において、前記重り手段の前記定位柱を前記ダイに形成された対応の収容穴内に挿し込むことにより前記重り手段を前記ダイに定位し、
前記鋳型工程において、前記シェル鋳型は、前記定位柱を包むように形成されることを特徴とする請求項１〜４のいずれか一項に記載のゴルフクラブヘッドの製造方法。
【請求項６】
前記鋳造工程において、前記シェル鋳型を取り外した後に、前記定位柱を取り外すことを特徴とする請求項５に記載のゴルフクラブヘッドの製造方法。
【請求項７】
ヘッド本体と前記ヘッド本体に嵌め込まれている重り手段とを有するゴルフクラブヘッドにおいて、
各前記重り手段は、いずれも、金属材料により形成される重り本体と、前記重り本体を包み込むと共に耐火性を有し、且つ、酸化しにくい隔離層と、を有することを特徴とするゴルフクラブヘッド。
【請求項８】
前記重り手段の前記隔離層はジルコニア砂層またはセラミックスにより形成されたことを特徴とする請求項７に記載のゴルフクラブヘッド。
【請求項９】
前記重り手段の前記重り本体はタングステン合金により作成されることを特徴とする請求項７又は請求項８に記載のゴルフクラブヘッド。
【請求項１０】
前記重り手段は、前記重り本体と前記隔離層から突起する複数の定位柱を更に有することを特徴とする請求項７〜９のいずれか一項に記載のゴルフクラブヘッド。
【発明の詳細な説明】
【技術分野】
【０００１】
本発明は、ゴルフクラブヘッドの製造方法及びゴルフクラブヘッドに関し、特に重り付きゴルフクラブヘッドの製造方法及重り付きゴルフクラブヘッドに関する。
【背景技術】
【０００２】
ゴルフクラブヘッドの重心位置は、プレイ中のゴルフボールの飛距離に影響する。通常は、ゴルフクラブヘッドに重りを配置することで、その重心位置を調整する。従来の重りの装着方法は、溶接、螺合及び糊付けから選ばれる。溶接で配置する場合は、重りの材料とゴルフクラブヘッドの材料が異なる場合が多いから、異材溶接の問題が生じる。例えば、それぞれの材料の物性の違いに起因する延性低下や割れが生じるので、ゴルフクラブヘッドの品質が下がる。螺合で配置する場合は、ゴルフクラブヘッドに重りと螺合する螺合孔が形成されることが必要となる。よって、ゴルフクラブヘッドのデザインが限られる。糊付けで配置する場合は、螺合と同じようにゴルフクラブヘッドのデザインが限られる上、接合強度の低下も問題になる。
【０００３】
前記の問題を解決するには、重りをゴルフクラブヘッドに嵌め込むように配置するという方法がある。つまり、高温の溶融金属をキャスティングする前に、重りがゴルフクラブヘッドに嵌め込まれて、前記溶融金属が凝固して、凝固した前記溶融金属からなるヘッド本体とヘッド本体に嵌め込まれた重りとを有するゴルフクラブヘッドを製造する。このような配置方法は、強度が高く、ゴルフクラブヘッドのデザインも自由になる。
【先行技術文献】
【特許文献】
【０００４】
【特許文献１】台湾実用新案第Ｍ４３６４７８号明細書
【発明の概要】
【発明が解決しようとする課題】
【０００５】
しかしながら、キャスティング工程において高温の溶融金属が金属材料により作成された重りと反応して重りの表面に酸化物が形成されるので、溶融金属が凝固する過程で酸化物が巻き込まれて、酸化物巻き込みやぺネトレーションなどの鋳疵が生じることにより、ゴルフクラブヘッドの成形に影響し、ゴルフクラブヘッドの品質が下がる欠点がある。
【０００６】
そこで、本発明は上記欠点を解決できるゴルフクラブヘッドの製造方法を提供することを目的とする。
【課題を解決するための手段】
【０００７】
前記目的を達成するための手段として、本発明は、以下のゴルフクラブヘッドの製造方法を提供する。
【０００８】
金属材料により形成される重り本体を有する重り手段を用意する準備工程と、前記重り本体の表面に、耐火性を有し、且つ、酸化しにくい材料からなる隔離層を形成する積層工程と、前記重り手段をダイに固定し、液体化された充填材料を前記ダイに注入し、前記重り手段の一部分が固化された前記充填材料により包まれ、該一部分以外の他の一部分が前記充填材料により包まれていない原型を形成する原型工程と、前記原型を前記ダイから取り外してから、前記原型の周囲に耐火性材料をコーティングすることにより、前記重り手段と前記原型が前記耐火性材料に包まれたシェル鋳型を形成する鋳型工程と、前記シェル鋳型から前記充填材料を除去して、前記シェル鋳型内に空洞を作り出す除去工程と、溶融金属を前記シェル鋳型内の前記空洞にキャスティングし、前記溶融金属が凝固してから、前記シェル鋳型を取り外すことで、凝固した前記溶融金属からなるヘッド本体と前記ヘッド本体に嵌め込まれる前記重り手段とを有するゴルフクラブヘッドが製造する鋳造工程と、が実行されることを特徴とする重り付きゴルフクラブヘッドの製造方法。
【０００９】
更に、以下のゴルフクラブヘッドを提供する。
【００１０】
ヘッド本体と前記ヘッド本体に嵌め込まれる重り手段とを有するゴルフクラブヘッドにおいて、各前記重り手段は、いずれも、金属材料により形成される重り本体と、前記重り本体を包み込むと共に耐火性を有し、且つ、酸化しにくい隔離層と、を有することを特徴とするゴルフクラブヘッド。
【発明の効果】
【００１１】
本発明に係るゴルフクラブヘッドの製造方法及びゴルフクラブヘッドによれば、耐火性を有し、且つ、酸化しにくい材料からなる隔離層を用いて重り本体を包むことで、重り本体とゴルフクラブヘッドを形成する金属材料の間に酸化物が生じることを防止して作成されるゴルフクラブヘッドの品質を維持することができる。
【図面の簡単な説明】
【００１２】
【図１】本発明に係るゴルフクラブヘッドの製造方法の実施例の準備工程と積層工程を示す断面模式図である。
【図２】前記実施例の原型工程を示す断面模式図である。
【図３】前記実施例の鋳型工程を示す断面模式図である。
【図４】前記実施例の鋳型工程を示す断面模式図である。
【図５】前記実施例の除去工程を示す断面模式図である。
【図６】前記実施例の鋳造工程を示す断面模式図である。
【図７】前記実施例の変化例を示す断面模式図である。
【図８】前記実施例の一部の原型工程において、定位柱がダイに挿し込んで、充填材料が注入された状態を示す断面図である。
【図９】本発明に係るゴルフクラブヘッドの実施形態の一部を示す断面図である。
【図１０】前記実施形態の変化例の一部を示す断面図である。
【発明を実施するための形態】
【００１３】
以下、図面を参照しながら本発明の実施例と実施形態を詳しく説明する。
【００１４】
図１〜図６に、本発明に係るゴルフクラブヘッドの製造方法の実施例が示されている。この実施例は、準備工程と積層工程と原型工程と鋳型工程と除去工程と鋳造工程とが実行される。
【００１５】
準備工程において、タングステン合金により作成される重り本体１１１と、重り本体１１１から突起するよう重り本体１１１に取り付けられる２つの定位柱１１３と、を有する重り手段１１を用意する。
【００１６】
積層工程において、図１のように、重り本体１１１の表面に、耐火性を有し、且つ、酸化しにくい材料からなる隔離層１１２を形成するが、この際、隔離層１１２は定位柱１１３を被布しないように形成される。また、隔離層１１２は、ジルコニア砂層またはセラミックスにより形成されてもよいが、真空蒸着または電着の方法を用いて形成されてもよく、あるいは、重り本体１１１を隔離して酸化を防止することができる材料により形成されてもよい。
【００１７】
原型工程において、図２と図８のように、重り手段１１を２枚のダイ部材からなるダイ２の間に挟まれるように固定する上、重り手段１１の定位柱１１３をダイ２に形成された対応の収容穴内に挿し込むことにより重り手段１１をダイ２に定位する。続いて、液体化された充填材料３をダイ２に注入し、重り手段１１の一部分が固化された充填材料３により包まれ、該一部分以外の他の一部分及び定位柱１１３が充填材料３により包まれていない原型３１１を形成する。充填材料３は、この実施例において、ワックスであるが、ポリスチレン、プラスチックなど溶融可能な材料であってもよい。
【００１８】
鋳型工程において、図３及び図４のように、原型３１１をダイ２から取り外してから、原型３１１の周囲に耐火性材料をコーティングすることにより、重り手段１１と原型３１１が耐火性材料に包まれたシェル鋳型４を形成する。
【００１９】
除去工程において、図５のように、シェル鋳型４から充填材料３を除去して、シェル鋳型４内に空洞を作り出す。なお、充填材料３により包まれていない重り手段１１の部分と定位柱１１３がシェル鋳型４に包まれるので、充填材料３を除去しても、重り手段１１と定位柱１１３がシェル鋳型４に固定される。
【００２０】
鋳造工程において、図６のように、充填材料３の代わりに溶融金属をシェル鋳型４内の空洞にキャスティングし、溶融金属が充填材料３のように重り本体１１１と重り本体１１１を被布する隔離層１１２とを包む。隔離層１１２は耐火性を有し、且つ、酸化しにくい材料からなるので、重り本体１１１を隔離して、重り本体１１１に酸化物が生じることを防止する。これにより、溶融金属が凝固し成形してヘッド本体１２となる。続いて、シェル鋳型４を取り外すことで、ヘッド本体１２とヘッド本体１２に嵌め込まれた重り手段１１とを有するゴルフクラブヘッド１が製造される。
【００２１】
なお、この実施例において、重り手段１１は１つであるが、重り手段１１が複数あってもよい。
【００２２】
なお、定位柱１１３は、この実施例において、最後まで取り付けられているが、原型工程と鋳型工程との間に、又は鋳造工程においてシェル鋳型４を取り外した後に、取り外してもよい。これによって、図７のように、ゴルフクラブヘッド１は、定位柱１１３を有しなくなる。
【００２３】
図９に、本発明に係るゴルフクラブヘッドの実施形態が示されている。図９のように、ゴルフクラブヘッド１は、ヘッド本体１２とヘッド本体１２に嵌め込まれている重り手段１１とを有する。重り手段１１は、金属材料により形成される重り本体１１１と、重り本体１１１から突起し、重り本体１１１に取り付けられる２つの定位柱１１３と、重り本体１１１の表面に定位柱１１３を被布しないように形成されていて、耐火性を有し、且つ、酸化しにくい隔離層１１２と、を有する。
【００２４】
重り手段１１の定位柱１１３は、重り手段１１をダイ２に定位するために取り付けられているので、図１０のように、原型工程と鋳型工程との間に、又は鋳造工程においてシェル鋳型４を取り外した後に、定位柱１１３を取り外すことができる。また、図１０のように、定位柱１１３を取り外した後、定位柱１１３があった場所に孔が形成される。つまり、重り本体１１１及び隔離層１１２に孔が形成される。
【００２５】
本実施形態によれば、重り本体１１１の表面に耐火性を有し、且つ、酸化しにくい材料からなる隔離層１１２が形成されるので、ゴルフクラブヘッド１を製造する際に、重り本体１１１が隔離され、酸化物が生じない。
【００２６】
なお、この実施形態において、重り手段１１は１つであるが、重り手段１１が複数あってもよい。
【００２７】
以上のように、本発明によれば、重り本体１１１の表面に形成し、耐火性を有し、且つ、酸化しにくい材料からなる隔離層１１２を介して重り本体１１１に酸化物が生じることを防止することができ、本発明の目的を果たすことができる。
【産業上の利用可能性】
【００２８】
本発明に係る重り付きゴルフクラブヘッドの製造方法及び重り付きゴルフクラブヘッドは、キャスティングで製造するゴルフクラブヘッドに対する様々な応用が可能である。
【符号の説明】
【００２９】
１      ゴルフクラブヘッド
１１    重り手段
１１１  重り本体
１１２  隔離層
１１３  定位柱
１２    ヘッド本体
２      ダイ
３      充填材料
３１１  原型
４      シェル鋳型
【要約】
【課題】重り手段が配置されるようキャスティングで成形されながらも品質が維持されるゴルフクラブヘッドの提供
【解決手段】
金属材料により形成される重り本体を有する重り手段を用意する準備工程と、重り本体の表面に、耐火性を有し、酸化しにくい材料からなる隔離層を形成する積層工程と、重り手段をダイに固定し、充填材料をダイに注入し、重り手段の一部分が充填材料により包まれる原型を形成する原型工程と、原型をダイから取り外してから、原型の周囲に耐火性材料をコーティングしてシェル鋳型を形成する鋳型工程と、シェル鋳型から充填材料を除去して、シェル鋳型内に空洞を作り出す除去工程と、溶融金属を上記空洞にキャスティングし、溶融金属が凝固してから、シェル鋳型を取り外すことで、凝固した溶融金属からなるヘッド本体とヘッド本体に嵌め込まれる重り手段とを有するゴルフクラブヘッドを製造する鋳造工程と、が実行される。
【選択図】図６【図１】
0006771630.tif 000002
【図２】
0006771630.tif 000003
【図３】
0006771630.tif 000004
【図４】
0006771630.tif 000005
【図５】
0006771630.tif 000006
【図６】
0006771630.tif 000007
【図７】
0006771630.tif 000008
【図８】
0006771630.tif 000009
【図９】
0006771630.tif 000010
【図１０】
0006771630.tif 000011